(57)【要約】  特定の患者に対して処方された臨床ガイドラインによって前記特定の患者に対する臨床環境を設定するシステム及び方法が提供される。システム２００は、患者４１６に関連付けられた第１のタグを検出し、前記第１のタグを示す第１の識別信号を生成する少なくとも１つの非接触リーダ４０４と、前記第１の識別信号を受信し、前記第１の識別信号に基づいて患者記録を取り出し、前記患者記録に基づいて前記患者に対する臨床ケア環境設定を生成するプロセッサ３０２とを含む。加えて、前記リーダは、医療機器の少なくとも１つのピース４０８，４１２に関連付けられた少なくとも１つの第２のタグを検出し、前記プロセッサは、前記検出された少なくとも１つの第２のタグに基づいて現在のケア環境設定を決定し、次いで、前記生成されたケア環境設定が前記現在のケア環境設定とマッチするか決定する。
2008510217.tif 000002
【特許請求の範囲】
【請求項１】
少なくとも１人の患者に対して臨床ケア環境を設定する方法において、
前記少なくとも１人の患者に対して処方された臨床ガイドラインを取り出すステップと、
前記取り出された臨床ガイドラインに基づいてケア環境設定を決定するステップと、
前記少なくとも１人の患者の現在のケア環境設定と前記決定されたケア環境設定を比較するステップと、
前記決定されたケア環境設定が前記少なくとも１人の患者の前記現在のケア環境設定とマッチしない場合に代替的なケア環境を提案するステップと、
を有する方法。
【請求項２】
前記臨床ガイドラインを取り出すステップが、
前記少なくとも１人の患者の識別を得るステップと、
前記患者識別に基づいて前記少なくとも１人の患者のデータ記録を取り出すステップと、
を有する、請求項１に記載の方法。
【請求項３】
前記得るステップが、一意的なユーザ識別コードを持つユーザ固有タグを検出することを含む、請求項２に記載の方法。
【請求項４】
前記ユーザ固有タグが、無線周波数識別（ＲＦＩＤ）タグである、請求項３に記載の方法。
【請求項５】
前記得るステップが、一意的なユーザ識別コードを持つバーコードをスキャンすることを含む、請求項２に記載の方法。
【請求項６】
前記得るステップが、顔認識により前記少なくとも１人の患者を識別することを含む、請求項２に記載の方法。
【請求項７】
前記決定するステップが、
前記患者記録に基づいて前記少なくとも１人の患者に対する前記臨床ガイドラインにおける現在のステップを決定するステップと、
前記臨床ガイドラインにおける前記現在のステップに基づいて前記決定されたケア環境設定を選択するステップと、
を更に有する、請求項１に記載の方法。
【請求項８】
前記比較するステップが、
医療機器の少なくとも１つのピースに関連付けられた少なくとも１つのタグを検出することにより前記現在のケア環境設定を得るステップ、
を更に有する、請求項１に記載の方法。
【請求項９】
前記少なくとも１つのタグが、無線周波数識別（ＲＦＩＤ）タグである、請求項８に記載の方法。
【請求項１０】
前記決定されたケア環境設定が、前記少なくとも１人の患者の前記現在のケア環境設定とマッチする場合に、前記現在のケア環境が満足であることをユーザに示す、請求項１に記載の方法。
【請求項１１】
前記提案するステップが、前記決定された設定に基づいて所要の機器に対する動作命令を生成することを更に有する、請求項１に記載の方法。
【請求項１２】
少なくとも１人の患者に対して臨床ケア環境を設定するシステムにおいて、
患者に関連付けられた第１のタグを検出し、前記第１のタグを示す第１の識別信号を生成する少なくとも１つの非接触リーダと、
前記第１の識別信号を受信し、前記第１の識別信号に基づいて患者記録を取り出し、前記患者記録に基づいて前記患者に対する臨床ケア環境設定を生成するプロセッサと、
を有するシステム。
【請求項１３】
前記システムが、複数の臨床ガイドラインを記憶する臨床ガイドラインデータベースを更に有し、前記プロセッサが、前記患者記録に基づいて前記患者に対する処方された臨床ガイドラインを取り出す、請求項１２に記載のシステム。
【請求項１４】
前記システムが、ケア環境設定データベースを更に有し、前記プロセッサが、前記患者記録に基づいて前記患者に対する前記臨床ガイドラインの現在のステップを決定し、前記臨床ガイドラインの前記現在のステップに基づいて前記臨床ケア環境を生成する、請求項１３に記載のシステム。
【請求項１５】
前記少なくとも１つのリーダが、医療機器の少なくとも１つのピースに関連付けられた少なくとも１つの第２のタグを検出し、前記プロセッサが、前記検出された少なくとも１つの第２のタグに基づいて現在のケア環境設定を決定し、前記プロセッサが、前記生成されたケア環境設定が前記現在のケア環境設定とマッチするか決定する、請求項１２に記載のシステム。
【請求項１６】
前記第１のタグ及び前記少なくとも１つの第２のタグが、無線周波数識別（ＲＦＩＤ）タグである、請求項１５に記載のシステム。
【請求項１７】
前記第１のタグ及び前記少なくとも１つの第２のタグが、グローバルポジショニングシステム（ＧＰＳ）タグである、請求項１５に記載のシステム。
【請求項１８】
前記プロセッサが、前記生成されたケア環境設定が前記現在のケア環境設定とマッチしないことを決定する場合に、必要な医療機器に命令する命令システムを更に有する、請求項１５に記載のシステム。
【請求項１９】
前記プロセッサが、前記生成されたケア環境設定が前記現在のケア環境設定とマッチしないことを決定する場合に、必要な医療機器の再配置をスケジューリングするスケジューリングシステムを更に有する、請求項１５に記載のシステム。
【請求項２０】
マシンにより読み取り可能なプログラム記憶装置であって、少なくとも１人の患者に対して臨床ケア環境を設定する方法ステップを実行するために前記マシンにより実行されることができる命令のプログラムを具現するプログラム記憶装置において、前記方法ステップが、
前記少なくとも１人の患者に対して処方された臨床ガイドラインを取り出すステップと、
前記取り出された臨床ガイドラインに基づいてケア環境設定を決定するステップと、
前記少なくとも１人の患者の現在のケア環境設定と前記決定されたケア環境設定を比較するステップと、
前記決定されたケア環境設定が前記少なくとも１人の患者の前記現在のケア環境設定とマッチしない場合に代替的なケア環境を提案するステップと、
を有する、プログラム記憶装置。
【発明の詳細な説明】
【技術分野】
【０００１】
本開示は、一般には、データ処理及び決定システムに関し、より具体的には、臨床ガイドラインにより患者ごとに臨床ケア環境（clinical care setting）を設定する（configuring）システム及び方法に関する。
【背景技術】
【０００２】
マネージド・ケア環境における限られた財源及びプライマリケアの増加する重要性は、医療ケアデリバリが、品質を犠牲にすることなくより効率的かつ費用効果的になるように駆り立てている。効率及び品質のゴールを達成する１つの主要なアプローチは、特定の病気に対するケアの標準化による。ケア標準化の努力は、ケアマップ（care maps）、決定経路（critical pathway）及びケア・ガイドラインの開発を含んでいる。臨床ガイドラインの一例は、図１に描かれている。
【０００３】
近年、ヘルスケアの分野においてより効率的であり、信頼性があり、費用効果的なコンピュータの利用可能性が、コンピュータベースの臨床決定サポートシステムの開発に帰着した。更に、電子医療記録は、ヘルスケア品質及び制御費用を改良するために臨床医学の普段の慣習の間にガイドラインを呼び出す機会を提供している。研究は、ケアの点で患者固有のリコメンデーションを提供する臨床的ワークフローと一体化された場合に、臨床的慣習ガイドラインのコンピュータベースの実施が、臨床医学者の能力及び患者の結果を向上することができることを示している。
【０００４】
患者治療が臨床ガイドラインにより進行するとき、医療機器及び装置は、必要とされるケアを提供するために利用可能ではないかもしれない。問題は、特定のガイドラインにより治療される特定の患者に必要とされる適切な機器を持つケア場所を設定することである。
【発明の開示】
【発明が解決しようとする課題】
【０００５】
したがって、処方された臨床ガイドラインにより特定の患者に対して臨床ケア環境を設定する技術に対する必要性が存在する。更に、これらの技術は、臨床スタッフにより実施するのが容易であるべきであり、ほとんどユーザ介入を必要とするべきでない。
【０００６】
特定の患者に対して処方された臨床ガイドラインにより前記特定の患者に対して臨床環境を設定するシステム及び方法が提供される。
【課題を解決するための手段】
【０００７】
本開示の一態様によると、少なくとも１人の患者に対して臨床ケア環境を設定する方法が提供される。前記方法は、前記少なくとも１人の患者に対して処方された臨床ガイドラインを取り出すステップと、前記取り出された臨床ガイドラインに基づいてケア環境設定を決定するステップと、前記少なくとも１人の患者のケア環境設定と前記決定されたケア環境設定を比較するステップと、前記決定されたケア環境設定が前記少なくとも１人の患者の前記現在のケア環境設定とマッチしない場合に代替ケア環境を提案するステップとを含む。前記臨床ガイドラインを取り出すステップは、前記少なくとも１人の患者の識別を得るステップと、前記患者識別に基づいて前記少なくとも１人の患者のデータ記録を取り出すステップと、前記患者記録に基づいて前記少なくとも１人の患者に対して処方された前記臨床ガイドラインを決定するステップとを含む。
【０００８】
他の態様において、前記得るステップは、無線周波数識別（ＲＦＩＤ）タグである、一意的なユーザ識別コードを有するユーザ固有タグを検出すること、一意的な識別コードを有するバーコードをスキャンすること、又はコンピュータビジョンを介して顔識別技術を採用することを含んでもよい。
【０００９】
前記方法は、無線周波数識別（ＲＦＩＤ）タグである、医療機器の少なくとも１つのピースに関連付けられた少なくとも１つのタグを検出することにより、医療機器の少なくとも１つのピースに関連付けられたバーコードをスキャンすることにより、又はコンピュータビジョンを介して対象識別技術を採用することにより前記現在のケア環境設定を得るステップを更に含む。
【００１０】
更に他の態様において、前記方法は、前記決定された設定に基づいて必要とされる機器に対する動作命令を生成するステップを含む。
【００１１】
本開示の他の態様において、少なくとも１人の患者に対して臨床ケア環境を設定するシステムは、患者に関連付けられた第１のタグを検出し、前記第１のタグを示す第１の識別信号を生成する少なくとも１つの非接触リーダと、前記第１の識別信号を受信し、前記第１の識別信号に基づいて患者記録を取り出し、前記患者記録に基づいて前記患者に対する臨床ケア環境設定を生成するプロセッサとを含む。前記システムは、複数の臨床ガイドラインを記憶する臨床ガイドラインデータベースを更に含み、前記プロセッサが、前記患者記録に基づいて前記患者に対する処方された臨床ガイドラインを取り出し、前記システムは、ケア環境設定データベースを含み、前記プロセッサが、前記患者記録に基づいて前記患者に対する前記臨床ガイドラインの現在のステップを決定し、前記臨床ガイドラインの前記現在のステップに基づいて前記臨床ケア環境を生成する。
【００１２】
他の態様において、前記少なくとも１つのリーダは、医療機器の少なくとも１つのピースに関連付けられた少なくとも１つの第２のタグを検出し、前記プロセッサは、前記検出された少なくとも１つの第２のタグに基づいて現在のケア環境設定を決定し、前記プロセッサは、前記生成されたケア環境設定が前記現在のケア環境設定とマッチするかどうかを決定する。前記第１のタグ及び少なくとも１つの第２のタグは、無線周波数識別（ＲＦＩＤ）タグ及び／又はグローバル・ポジショニング・システム（ＧＰＳ）タグであってもよい。代わりに、前記タグは、バーコードラベルであってもよい。
【００１３】
前記システムは、前記生成されたケア環境設定が前記現在のケア環境設定にマッチしないと前記プロセッサが決定する場合に必要な医療機器に命令する命令システム、及び／又は前記生成されたケア環境設定が前記現在のケア環境設定にマッチしないと前記プロセッサが決定する場合に必要な医療機器の再配置をスケジューリングするスケジューリングシステムを含むことができる。
【００１４】
本開示の更に他の態様において、少なくとも１人の患者に対して臨床ケア環境を設定する方法ステップを実行するためにマシンにより実行可能な命令のプログラムを具現する（tangibly embodying）、前記マシンにより読み取り可能なプログラム記憶装置が提供され、前記方法ステップは、前記少なくとも１人の患者に対して処方された臨床ガイドラインを取り出すステップと、前記取り出された臨床ガイドラインに基づいてケア環境設定を決定するステップと、前記少なくとも１人の患者の現在のケア環境設定と前記決定されたケア環境設定を比較するステップと、前記決定されたケア環境設定が前記少なくとも１人の患者の前記現在のケア環境設定とマッチしない場合に代替ケア環境を提案するステップとを有する。
【００１５】
本開示の上記の及び他の態様、フィーチャ及び利点は、添付図面と併せて参照される場合に以下の詳細な記載を考慮に入れるとより明らかになる。
【発明を実施するための最良の形態】
【００１６】
本開示の好適な実施例は、添付図面を参照して以下に記載される。以下の記載において、周知の機能又は構成は、不必要な詳細において本開示を不明確にすることを防ぐために詳細には記載されない。
【００１７】
特定の患者に対して処方された臨床ガイドラインにより前記特定の患者に対して臨床環境を設定するシステム及び方法が提供される。本開示のシステム及び方法は、患者のステータスを決定し、処方された臨床ガイドラインに関連して進行度を決定し、決定された段階において前記患者に対する適切な環境、例えば機器、スタッフ、薬剤等を決定し、及び前記患者の前記現在の環境が満足であることを決定するか、又は新しい環境を設定し、この後に適切な要求をスケジューリングするかのいずれかである。前記システム及び方法は、最小のユーザ介入で前記ケア環境の前記現在の設定及び要求の場所を検出することができる。
【００１８】
図２を参照すると、本開示による全体的なシステム及び情報フロー図が図示される。ケア環境設定システム２００は、複数のデータベース、例えば、患者記録データベース２０２、臨床ガイドラインデータベース２０４、ケア環境設定データベース２０６及びドメイン情報データベース２０８と、命令／スケジューリングシステム２１０と、複数のインターフェース、例えば、患者のＩＤを入力するインターフェース２１２及び存在する設定を決定するインターフェース２１４とを含む。一般に、ユーザは、患者ＩＤを、例えば無線で、設定システム２００に入力し、設定システム２００は、患者データベースから前記患者の記録を取り出す。設定システム２００は、この場合、臨床ガイドラインデータベース２０４から前記患者に対して処方された臨床ガイドラインを取り出し、前記患者が現在どの段階にいるかを決定する。前記患者の段階に基づいて、設定システム２００は、最適なケア環境設定を決定するためにケア環境設定データベース２０６とインタラクトする。インターフェース２１４、例えば無線ＲＦＩＤリーダ、バーコードスキャナ等を介して、設定システム２００は、前記患者の前記現在のケア設定を決定し、前記現在のケア設定を前記決定された設定に対して比較する。前記比較が満足である場合、他の動作は行われない。前記比較が満足でない場合、設定システム２００は、適切な要求を決定し、この情報を命令／スケジューリングシステム２１０に送信し、命令／スケジューリングシステム２１０は、前記患者の環境、例えば病室を適切に設定するために、機器、必需品、職員等に対する動作命令を生成する。ドメイン情報ベース２０８は、システム２００が、異なるシステム及び／又はデータベース（例えば、患者記録データベース２０２、臨床ガイドラインデータベース２０４、ケア環境設定データベース２０６及び命令／スケジューリングシステム２１０）において使用される用語を翻訳することを可能にする。
【００１９】
本開示は、様々な形式のハードウェア、ソフトウェア、ファームウェア、特殊用途プロセッサ、又はこれらの組み合わせにおいて実施されることができると理解されるべきである。一実施例において、本開示は、プログラム記憶装置において具現されるアプリケーションプログラムとしてソフトウェアにおいて実施されることができる。前記アプリケーションプログラムは、パーソナルコンピュータ、ワークステーション又はサーバのような適切なアーキテクチャを有するマシンにアップロードされ、前記マシンにより実行されることができる。図３を参照すると、好ましくは、マシン３００は、１つ以上の中央処理ユニット（ＣＰＵ）３０２、ランダムアクセスメモリ（ＲＡＭ）３０４、読取専用メモリ（ＲＯＭ）３０６及びキーボード３０８のような入出力（Ｉ／Ｏ）インターフェース、カーソル制御装置３１０（例えばマウス又はジョイスティック）及び表示装置３１２のようなハードウェアを有するコンピュータプラットフォーム上で実施される。システムバス３１５は、様々な構成要素を結合し、メモリバス又はメモリコントローラ、周辺機器バス及び様々なバスアーキテクチャのいずれかを使用するローカルバスを含むバス構造の複数のタイプのいずれであってもよい。前記コンピュータプラットフォームは、オペレーティングシステム及びマイクロ命令コードをも含む。ここに記載される様々な処理及び機能は、前記オペレーティングシステムを介して実行されるアプリケーションプログラムの一部又は前記マイクロ命令コードの一部（又はこれらの組み合わせ）のいずれかであり得る。
【００２０】
加えて、様々な他の周辺機器が、パラレルポート、シリアルポート又はユニバーサルシリアルバス（ＵＳＢ）のような様々なインターフェース及びバス構造により前記コンピュータプラットフォームに接続されることができる。１つのこのような周辺機器は、患者のＩＤを入力する、又は存在するケア環境設定及び／又は機器、必需品等の場所を決定する無線アクセスポイント又はＲＦ（無線周波数）リーダ３１６を含み得る。他の周辺機器は、追加の記憶装置及びプリンタを含んでもよい。
【００２１】
添付図面に描かれている構成するシステム構成要素及び方法ステップがソフトウェアにおいて実施されることができるので、前記システム構成要素（又は処理ステップ）間の実際の接続は、本開示がプログラムされる様式に依存して異なり得ると更に理解されるべきである。ここに与えられる本開示の教示を考えると、当業者は、本開示のこれら及び同様な実施又は構成を意図することができる。
【００２２】
コンピュータ３００は、１つ以上のリモートコンピュータに対する論理接続を使用するネットワーク環境において動作し得る。前記リモートコンピュータは、パーソナルコンピュータ、サーバ、ルータ、ネットワークＰＣ、ピア装置又は他の共通ネットワークノードであってもよく、典型的には、前記コンピュータに関して上に記載された要素の多く又は全てを含む。前記ネットワークが、ローカルエリアネットワーク（ＬＡＮ）、ワイドエリアネットワーク（ＷＡＮ）、インターネット又はネットワークメッセージを介して様々なモードの通信を可能にするために複数のコンピュータを結合する既知のネットワークであり得ると理解されるべきである。例えば、前記システムは、単一の施設内に収容された単一のサーバ及び複数のパーソナルコンピュータを含む企業イントラネット、又は代替的に、様々な地理的場所に配置された複数のパーソナルコンピュータを有する複数のサーバであってもよい。
【００２３】
本開示による模範的実施例は、図４及び５に関してここに記載され、図４は、処方された臨床ガイドラインによって特定の患者に対する臨床環境を設定するシステムのブロック図であり、図５は、前記臨床環境を設定する方法を図示するフローチャートである。
【００２４】
図４を参照すると、ケア環境設定システム２００は、複数の患者室を含む病院環境において採用される。設定システム２００は、シリアルインターフェースプロトコル上で通信する通信バス４０２を介して複数の無線又は非接触リーダ４０４に結合される。前記施設を通して、機器の各ピース、例えば、除細動器４０６、ＥＫＧマシン４１０等は、前記機器のピースに対して一意的な識別を含むスマートラベル４０８、４１２、例えば無線周波数識別（ＲＦＩＤ）タグを含む。模範的なタグ及び対応するリーダは、本出願の代理人であるオランダ、アイントホーフェンのフィリップスセミコンダクタから市販されているＩ−ＣＯＤＥ１ラベル及びリーダである。１つのリーダ４０４が各患者室において示されているが、リーダ４０４の数が前記リーダのレンジに依存するので、この構成が制限していると解釈されるべきでないと理解されるべきである。例えば、タグから約１０フィートないし約２２フィート離れたところから読み取ることができる長距離リーダに対して、前記リーダは、複数の部屋をカバーすることができ、当技術分野において既知である反衝突技術を使用して同時に複数のタグを読み取ることができる。更に、前記施設内の各患者４１４は、好ましくはリストバンド４１６の形式で取り付けられたタグを持つ。
【００２５】
ＲＦＩＤタグが低コスト、再プログラム可能及び使い捨てであり、前記ＲＦＩＤをヘルスケア使用に対して効率的かつ高費用効果にすると理解されるべきである。例えば、患者のリストバンドに対して採用されるＲＦＩＤタグは、各使用後の廃棄を可能にし、ＲＦＩＤリストバンドの再使用及び起こり得る物体の拡散を防止する。更に、前記ＲＦＩＤタグは、再プログラム可能、例えば読み取り／書き込み可能であるので、前記タグは、機器が消費され、廃棄される場合に再使用されることができる。
【００２６】
システム２００は、所要の機器の量及び場所を決定するために他の既存の記述を使用することができると更に理解されるべきである。例えば、タグ４０８、４１２はバーコードラベルであってもよく、リーダ４０４は、無線ハンドヘルドスキャナとインタラクトする無線リーダであってもよい。他の例において、システム２００は、既存のＣＣＤカメラ、即ち前記機器の場所を決定する施設監視システム及び採用される対象識別技術を使用してもよく、このシナリオにおいて、システム２００は、タグ無しで全ての機器を認識することができ、又は前記タグを認識することができる。他の対象認識技術が意図される。
【００２７】
システム２００を使用する場合、最初にステップ５０２において、患者４１４のＩＤが決定される。これは、前記ＩＤをリーダ４０４、例えばバーコードスキャナに中継するハンドヘルド装置を用いて前記患者のタグ４１６をスキャンすることにより達成されることができ、又は前記患者が前記リーダのレンジ内にいる場合、リーダ４０４は、患者タグ４１６自体、例えばＲＦＩＤタグから前記ＩＤを取り出す。各患者タグは、一意的なユーザ識別コードを持つユーザ固有タグである。更に、前記患者のＩＤは、内蔵型ＣＣＤカメラ及び適切なソフトウェアを有するサーバを使用する顔認識技術により決定されてもよい。リーダ４０４又は他の適切な装置は、この場合、前記患者のＩＤを識別信号を介してバス４０２上で設定システム２００に送信する。
【００２８】
前記患者のＩＤに基づいて、システム２００は、患者記録データベース２０２から前記患者の記録を取り出す（ステップ５０４）。前記患者の記録から、前記システムは、前記患者に対して処方された臨床ガイドラインを決定し、臨床ガイドラインデータベース２０４から前記ガイドラインを取り出す（ステップ５０６）。システム２００は、次いで、この患者に対する前記ガイドライン内の現在のステップを決定する（ステップ５０８）。代わりに、前記処方されたガイドラインから前記患者の現在の状態を決定するほかに、システム２００は、単純に前記患者の記録から前記患者の現在の状態を決定することができ、又はシステム２００は、命令された手順を取り出すために部門情報システムとインタラクトし、前記命令された手順から前記患者の現在の状態を決定してもよい。前記ガイドライン内の前記ステップ又は前記患者の現在の状態に基づいて、前記システムは、ケア環境設定データベース２０６から現在のステップに対して推奨されるケア環境設定を取り出す（ステップ５１０）。
【００２９】
ステップ５１２において、システム２００は、前記患者の環境内の前記機器に関連したタグをスキャンすることにより前記患者の現在の環境を決定する。例えば、リーダ４０４は、患者室＃２内の機器４１８及び４２２にそれぞれ関連付けられたタグ４２０及び４２４を読み取る。システム２００は、次いで、ステップ５１４において、現在の設定と推奨された設定を比較する。前記設定がマッチする場合、更なる動作が行われる必要は無く、好ましくは、システム２００は、同様のことをユーザに通知する（ステップ５１６）。しかしながら、前記設定がマッチしない場合、システム２００は、代替的な設定を提案するか、又は前記設定を適合する最小の変化を提案し得る（ステップ５１８）。前記代替的な設定を提案する際に、システム２００は、機器が前記患者の現在の環境から除去し、所要の機器が中に移動されるように命令／スケジューリングシステム２１０に動作命令を送信することができる。更に、前記命令／スケジューリングシステムは、必要な医療機器が前記施設内で入手可能でない場合に購入命令を生成しうる。命令／スケジューリングシステム２１０は、バス４０２を介して設定システム２００に結合されたスタンドアローンシステムであってもよく、又は設定システム２００上で実行するソフトウェアアプリケーションであってもよい。
【００３０】
システム２００は、処方されたガイドラインに対して取られるべき様々な代替ステップをシミュレートするために"仮定（what-if）"性能を持つソフトウェア及びハードウェアを組み込むことができると意図される。このような性能を含むシステムは、前記患者に対する様々なアプローチ及び結果をシミュレートする"DECISION SUPPORT SYSTEM FOR SIMULATING EXECUTION OF AN EXECUTABLE CLINICAL GUIDELINE"と題された同時係続の米国特許出願、整理番号ＵＳ０４０２６５、米国出願番号６０／５９１０７１、２００４年７月２６日出願に開示されており、本開示のシステム２００は、前記患者及び施設の計画された必要性についてサプライチェーン管理システムにヒントを提供することにより資源計画をサポートすることができる。
【００３１】
特定の患者に対して処方された臨床ガイドラインにより前記特定の患者に対して臨床環境を設定するシステム及び方法が記載されている。有利には、本開示の前記システム及び方法は、効率的な資源（例えば医療機器）計画及びスケジューリングを可能にし、危機的な人員不足のときに生産性を増大させるのを助け、前記臨床ガイドライン中の前記患者の進行とケア場所の設定との間の調整により臨床スタッフの満足を保証する。更に、前記システム及び方法は、前記臨床スタッフが、適切な時間に前記特定の患者に対して適切なケアを行うために何が必要であるか（装置、資源）を見つけ出すより、前記患者と共により多くの時間を費やすことを可能にする。
【００３２】
本開示の前記システム及び方法がモジュール式であることが理解されるべきである。例えば、これは、単一の病室又はヘルスケア企業に応用されることができる。更に、これは、テロリストの攻撃に対する調整された応答を管理するのを助けるためにホテル、スタジアム又は街のような公共の場所において応用されることができる。これは、紛争地帯に拡張されることができる。これらの大規模なシナリオにおいて、ＧＰＳ（グローバルポジショニングシステム）タグは、ＲＦＩＤタグに加えて使用されることができる。大規模なシナリオにおいて、前記システムが、８０２．１１規格下で動作し、インターネットに結合されたＷｉＦｉシステムを採用することも意図される。本発明は、特定の好適な実施例を参照して示され、記載されているが、形式及び詳細における様々な変更が、添付の請求項により規定された本開示の精神及び範囲から逸脱することなくここで行われ得ることは、当業者により理解される。
【図面の簡単な説明】
【００３３】
【図１】急性心筋梗塞の治療に対する模範的な臨床ガイドラインを図示するフローチャートである。
【図１Ａ】急性心筋梗塞の治療に対する模範的な臨床ガイドラインを図示するフローチャートである。
【図１Ｂ】急性心筋梗塞の治療に対する模範的な臨床ガイドラインを図示するフローチャートである。
【図２】本開示の一実施例による臨床ガイドラインにより患者ごとに臨床ケア環境を設定するシステム及び方法のフロー図である。
【図３】図２に示されるシステムにおいて使用する模範的なコンピュータである。
【図４】臨床環境を設定するシステムのブロック図である。
【図５】本開示の一実施例による臨床環境を設定する方法を図示するフローチャートである。
【図１】
2008510217.tif 000003
【図１Ａ】
2008510217.tif 000004
【図１Ｂ】
2008510217.tif 000005
【図２】
2008510217.tif 000006
【図３】
2008510217.tif 000007
【図４】
2008510217.tif 000008
【図５】
2008510217.tif 000009
【国際調査報告】
2008510217.tif 000010
2008510217.tif 000011
2008510217.tif 000012